(57)【要約】      （修正有）【課題】  エンドシール部を備える自立不能なフィルム梱包物を、エンドシール部を下方に配置して立設させた状態で包装箱に収納した際に、エンドシール部が変形等するのを効果的に回避できる収納構造を提供する。【解決手段】  エンドシール部１３を有するフィルム梱包物１０を、立設させた状態で縦長包装箱１２に仕切り台紙１６を介在させて収納する収納構造であって、仕切り台紙１６は、正面板１４ａ，１４ｂと略同じ幅を有する仕切り本体１７と、仕切り本体１７の下端縁部に折り返された状態で連接する折返し舌状片１８と、仕切り本体１７の両側縁部に折返し舌状片１８の折り返し側とは反対側に略垂直に折り曲げられた状態で連接するスペーサ片１９とを備えている。エンドシール部１３が形成されたフィルム梱包物１０の下端部分１０ａを仕切り本体１７と折返し舌状片１８との間に配設して、仕切り台紙１６と共にフィルム梱包物１０を縦長包装箱１２に収容する。【選択図】      図１
2006282183.tif 000002
【特許請求の範囲】
【請求項１】
エンドシール部を有するフィルム梱包物を、当該エンドシール部を下方に配置して立設させた状態で、幅の広い前後一対の正面板と幅の狭い左右一対の側面板とを含む矩形横断面形状の縦長包装箱に、仕切り台紙を介在させて収納するフィルム梱包物の収納構造であって、
前記仕切り台紙は、少なくとも下半部分が前記正面板と略同じ幅を有する仕切り本体と、該仕切り本体の下端縁部に折り返された状態で連接する折返し舌状片と、前記仕切り本体の両側縁部に前記折返し舌状片の折り返し側とは反対側に略垂直に折り曲げられた状態で各々連接する一対のスペーサ片とを備えており、
前記エンドシール部が形成された前記フィルム梱包物の下端部分を、前記仕切り本体と前記折返し舌状片との間に配設して、前記仕切り台紙と共に前記フィルム梱包物を前記縦長包装箱に収納し、
前記フィルム梱包物の重量によって前記折返し舌状片が一方の正面板側に倒れ込むのを、前記スペーサ片の先端が他方の正面板に当接して規制することにより、前記フィルム梱包物の下端部分を挟み込んだ前記仕切り本体と前記折返し舌状片との角度を鋭角に保持するフィルム梱包物の収納構造。
【請求項２】
前記スペーサ片によって間隔を保持された前記仕切り本体と前記他方の正面板との間の空間には、前記フィルム梱包物との組合せ物品が収納される請求項１に記載のフィルム梱包物の収納構造。
【請求項３】
複数の前記フィルム梱包物を、エンドシール部を下方に配置して立設させた横方向の積層状態で収納する請求項１又は２に記載のフィルム梱包物の収納構造。
【請求項４】
前記仕切り台紙の上端部分には、前記スペーサ片の上方延設部分と、前記仕切り本体に切込みを入れることによって形成された切離し部分とが一体となった、前記側面板の上端部分の形状に沿った形状を有する取出し部補強片が設けられており、該取出し部補強片は、前記スペーサ片が折り曲げられた際に前記切離し部分を前記スペーサ片とは反対側に突出させて、前記仕切り本体に対して略垂直に配置される請求項１〜３のいずれかに記載のフィルム梱包物の収納構造。
【請求項５】
前記縦長包装箱は、前記他方の正面板の上部における前記左右一対の側面板との接合角部分を切り離して正面取出し開口及びこれを開閉する正面開閉蓋を形成できるようになっており、前記スペーサ片の上方延設部分には側方に張り出して開閉蓋補強片が折曲げ可能に連接しており、該開閉蓋補強片が前記取出し部補強片に対して内側に略垂直に折り曲げられて、前記正面開閉蓋の側縁部を内側から支える張出し支持板を形成する請求項４に記載のフィルム梱包物の収納構造。
【発明の詳細な説明】
【技術分野】
【０００１】
本発明は、フィルム梱包物の収納構造に関し、特に、エンドシール部を有するフィルム梱包物を立設させた状態で縦長包装箱に収納するフィルム梱包物の収納構造に関する。
【背景技術】
【０００２】
例えば液状物、粉粒物、紙状物、布状物等の定形性を備えていない収容物を収容して製品化するための梱包形態として、これらの収容物を、可撓性を有する合成樹脂製のフィルム材料（シート材料）からなる袋の内部に封入したフィルム梱包物が、例えばパウチ、ピロー等として用いられている。これらのフィルム梱包物は、一枚又は複数枚のシート材料を折り重ねたり、熱融着等によって所定のシール幅で縁部をシールすることにより袋を形成すると共に、形成された袋の内部に収容物を封入した状態で製造される。
【０００３】
また、フィルム梱包物は、スタンディングパウチのような自立可能な形態を備えるものの他、周縁部分がエンドシール部や折り返し部等で形成されていて、単独では自立させることができない形態を備えるものがある。このような単独では立設状態を保持することができないフィルム梱包物については、平坦に寝かせた状態や吊り下げた状態として、或いは多数の製品を外箱にまとめて詰め込むことにより外箱の内部で立設させた状態として、運搬や陳列に供されることになる（例えば、特許文献１参照）。
【特許文献１】特開２００２−３３２０２４
【発明の開示】
【発明が解決しようとする課題】
【０００４】
一方、近年の商品の多様化から、例えば周縁部分にエンドシール部を備える自立不能な形態のフィルム梱包物を、他の物品と組み合わせて縦長の包装箱に同時に収容して、組合せ製品として製造、販売することが考えられている。またこのような組合せ製品では、一又は複数のフィルム梱包物を、エンドシール部を下方に配置して立設させた状態で縦長の包装箱に収納する形態が便利且つ効率の良い収納形態となる場合がある。
【０００５】
しかしながら、縦長の包装箱は運搬時や陳列時に立てた状態で取り扱われることから、自立不能なフィルム梱包物は、これに封入された収容物の重量によって、下方に配置されたエンドシール部が押し潰されて変形したり破損したりする場合があり、またフィルム梱包物や収容物の下部の形状に変形が生じる場合がある。
【０００６】
本発明は、エンドシール部を備える自立不能な形態のフィルム梱包物を、エンドシール部を下方に配置して立設させた状態で縦長包装箱に収納した際に、収容物の重量によってエンドシール部が変形したり、フィルム梱包物や収容物の下部の形状が変形するのを効果的に回避できるフィルム梱包物の収納構造を提供することを目的とする。
【課題を解決するための手段】
【０００７】
本発明は、エンドシール部を有するフィルム梱包物を、当該エンドシール部を下方に配置して立設させた状態で、幅の広い前後一対の正面板と幅の狭い左右一対の側面板とを含む矩形横断面形状の縦長包装箱に、仕切り台紙を介在させて収納するフィルム梱包物の収納構造であって、前記仕切り台紙は、少なくとも下半部分が前記正面板と略同じ幅を有する仕切り本体と、該仕切り本体の下端縁部に折り返された状態で連接する折返し舌状片と、前記仕切り本体の両側縁部に前記折返し舌状片の折り返し側とは反対側に略垂直に折り曲げられた状態で各々連接する一対のスペーサ片とを備えており、前記エンドシール部が形成された前記フィルム梱包物の下端部分を、前記仕切り本体と前記折返し舌状片との間に配設して、前記仕切り台紙と共に前記フィルム梱包物を前記縦長包装箱に収納し、前記フィルム梱包物の重量によって前記折返し舌状片が一方の正面板側に倒れ込むのを、前記スペーサ片の先端が他方の正面板に当接して規制することにより、前記フィルム梱包物の下端部分を挟み込んだ前記仕切り本体と前記折返し舌状片との角度を鋭角に保持するフィルム梱包物の収納構造を提供することにより、上記目的を達成したものである。
【発明の効果】
【０００８】
本発明のフィルム梱包物の収納構造によれば、エンドシール部を備える自立不能な形態のフィルム梱包物を、エンドシール部を下方に配置して立設させた状態で縦長包装箱に収納した際に、収容物の重量によってエンドシール部が変形したり、フィルム梱包物や収容物の下部の形状が変形するのを効果的に回避することができる。
【発明を実施するための最良の形態】
【０００９】
本発明の好ましい一実施形態に係るフィルム梱包物の収納構造は、図１及び図２（ａ），（ｂ）に示すように、例えば組合せ製品として、液状の収容物であるワックスを封入した複数枚（本実施形態では４枚）のフィルム梱包物１０と、ワックスを含浸させた状態で例えば清掃具に取り付けて使用される複数枚（本実施形態では４枚）の清掃シート１１とを組み合わたものを、縦長の包装箱１２に同時に収納して一体として製造・販売する際に、一方の収納物である相当の重量を有するフィルム梱包物１０に変形や破損を生じさせることなく、清掃シート１１と共に見栄え良く且つ効率良く収納できるようにするものである。
【００１０】
すなわち、本実施形態のフィルム梱包物の収納構造は、エンドシール部１３を有するフィルム梱包物１０を、当該エンドシール部１３を下方に配置して立設させた状態で、幅の広い前後一対の正面板１４ａ，１４ｂと幅の狭い左右一対の側面板１５とを含む矩形横断面形状の縦長包装箱１２に、仕切り台紙１６を介在させて収納する収納構造であって、図３及び図４（ａ）〜（ｃ）にも示すように、仕切り台紙１６は、少なくとも下半部分が正面板１４ａ，１４ｂと略同じ幅を有する仕切り本体１７と、この仕切り本体１７の下端縁部に折り返された状態で連接する折返し舌状片１８と、仕切り本体１７の両側縁部に折返し舌状片１８の折り返し側とは反対側に略垂直に折り曲げられた状態で各々連接する一対のスペーサ片１９とを備えている。そして、エンドシール部１３が形成されたフィルム梱包物１０の下端部分１０ａを、仕切り本体１７と折返し舌状片１８との間に配設して、仕切り台紙１６と共にフィルム梱包物１０を縦長包装箱１２に収納し、フィルム梱包物１０の重量によって折返し舌状片１８が一方の正面板１４ａ側に倒れ込むのを、スペーサ片１９の先端が他方の正面板１４ｂに当接して規制することにより、フィルム梱包物１０の下端部分１０ａを挟み込んだ仕切り本体１７と折返し舌状片１８との角度θを鋭角に保持するようになっている。
【００１１】
また、本実施形態では、スペーサ片１９によって間隔を保持された仕切り本体１７と他方の正面板１４ｂとの間の空間２０には、フィルム梱包物１０との組合せ物品である複数枚の清掃シート１１が収納されている。さらに、４枚のフィルム梱包物１０は、エンドシール部１３を下方に配置して立設させた横方向の積層状態で収納されている。
【００１２】
本実施形態では、フィルム梱包物１０は、各々、例えば縦１００〜３００ｍｍ、横５０〜１５０ｍｍ程度の大きさの扁平な矩形形状の袋に、一回毎の使用に適した量のワックスを封入することによって形成される。すなわち、例えばシーラント層を含むフィルム材料（シート材料）として、好ましくはアルミ箔層を含む多層フィルムを上記所定の大きさの矩形形状に裁断することによって得られた矩形フィルムを、一対重ね合わせて３方の周縁部を例えば３〜２０ｍｍ程度のシール幅で熱融着によりシールして袋とし、未接合の周縁部による開口からワックスを注入した後に、当該未接合の周縁部を同様に熱融着によりシールして、４方の周縁部がいずれもエンドシール部１３となったフィルム梱包物１０が形成されることになる。
【００１３】
フィルム梱包物１０が収納される縦長包装箱１２は、所望の展開形状を備えるように裁断した厚紙に折曲げ加工や接合加工等を施すことにより、例えば正面の幅が５０〜１５０ｍｍ、側面の幅が３０〜１００ｍｍ、高さが１００〜３００ｍｍ程度の大きさの、上部の一部が斜めに切り取られた、矩形横断面形状を備える略直方体の中空立体形状に組み立てられるものであり、上述のように、幅の広い前後一対の正面板１４ａ，１４ｂと幅の狭い左右一対の側面板１５とを備えている。縦長包装箱１２の底面は、底板５０によって閉塞されている。縦長包装箱１２の天面は、矩形横断面形状の大きさが絞られた状態で天面開口２１として開口すると共に、後述する正面取出し開口２２と連続する開口として、正面開閉蓋２３と連接する天面蓋片２７によって開閉可能に閉塞できるようになっている。
【００１４】
また、本実施形態の縦長包装箱１２は、他方の正面板１４ｂの上部における左右一対の側面板１５との接合角部分２４を切り離して、正面取出し開口２２及びこれを開閉する正面開閉蓋２３が形成されており、また接合角部分２４において切り離された側面板１５の、切離し基端部よりも上方の三角形状部分が内側に略垂直に折り曲げられて、開閉蓋載置台２５が設けられている。
【００１５】
そして、接合角部分２４において切り離された他方の正面板１４ｂの上部は、切離し基端部に折れ癖線２６を設けることによって当該折れ癖線２６を中心に回動可能な正面開閉蓋２３を構成し、正面取出し開口２２を開閉可能に覆うようになっている。また正面開閉蓋２３の先端縁部には、天面蓋片２７及び差込みフラップ片２８が折り曲げられた状態で順次連接している。正面開閉蓋２３によって正面取出し開口２２を覆った際に、側面板１５の上端縁部に連接する内フラップ５１を内側にして、天面蓋片２７によって天面開口２１を閉塞するようになっている。さらに、差込みフラップ片２８を一方の正面板１４ａの上端内側面に沿わせて差し込むことにより、正面取出し開口２２及び天面開口２１の閉塞状態を保持できるようになっている。
【００１６】
フィルム梱包物１０及び清掃シート１１と共に縦長包装箱１２に収納される仕切り台紙１６は、縦長包装箱１２と同様に、所望の展開形状を備えるように裁断した厚紙３０に折曲げ加工等を施すことによって立体形状に組み立てられる。すなわち、図４（ａ）示すように、仕切り台紙１６の展開形状として、例えば下方の略２／３の部分が縦長包装箱１２の正面板１４ａ，１４ｂの幅よりも僅かに狭い略同様の幅となった仕切り本体１７の下端縁部に、折れ癖線２９ａを介して例えば長さが３０〜１５０ｍｍ程度の折返し舌状片１８が連接し、且つ仕切り本体１７の両側縁部に、折れ癖線２９ｂを介して例えば幅が１０〜９０ｍｍ程度のスペーサ片１９が各々連接する形状を備える厚紙３０を形成する。
【００１７】
また、本実施形態では、仕切り本体１７の上端部分に、幅の狭い帯状片３２が中央部分に形成されるように対称位置に配置されて、一対のＬ字切込み３１が設けられている。仕切り本体１７のＬ字切込み３１よりも外側の切離し部分１７ａは、スペーサ片１９の上方延設部分１９ａと一体となって、仕切り台紙１６が立体形状に組み立てられた際に、縦長包装箱１２の正面取出し開口２２が形成された部分の側面板１５に沿って配置される取出し部補強片３３を形成する。
【００１８】
さらに、本実施形態では、スペーサ片１９の上方延設部分１９ａの側縁部は、開閉蓋載置台２５として三角形状部分が内側に折り曲げられた縦長包装箱１２の側面板１５上部の斜め形状に対応するように、斜めに延設しており、当該斜めに延設する側縁部を折れ癖線２９ｃとして、略矩形形状の張出し支持板３４が側方に張り出して設けられている。
【００１９】
図４（ｂ）及び（ｃ）にも示すように、折れ癖線２９ａを介して折返し舌状片１８を、仕切り本体１７に対して鋭角に配置されるように仕切り本体１７を挟んだ一方の側に折り返し、折れ癖線２９ｂを介して一対のスペーサ片１９を、仕切り本体１７に対して折返し舌状片１８の折り返し側とは反対側に略垂直に折り曲げ、さらに折れ癖線２９ｃを介して各張出し支持板３４を、取出し部補強片３３に対して内側に略垂直に折り曲げることにより、縦長包装箱１２の中空内部に収まる立体形状を備える仕切り台紙１６が組立て形成されることになる。またこれによって、取出し部補強片３３の仕切り本体１７からの切離し部分１７ａは、スペーサ片１９の上方延設部分１９ａとは反対側に突出して配置されることになり、縦長包装箱１２の正面取出し開口２２及び天面開口２１が形成された上端部分の中空内部を、帯状片３２及び仕切り本体１７によって２段に仕切った状態で、取出し部補強片３３によって強固に保持することができるようになっている。
【００２０】
上述の構成の仕切り台紙１６を介在させて、複数のフィルム梱包物１０と複数の清掃シート１１とを組合せ製品として縦長包装箱１２に収納するには、図１に示すように、下辺に沿ってエンドシール部１３が形成された各フィルム梱包物１０の下端部分１０ａを重ね合わせつつ、仕切り本体１７と折返し舌状片１８との間に挟み込むように配設して、仕切り本体１７の一方の側に複数のフィルム梱包物１０を横方向の積層状態で配置する。また一対のスペーサ片１９によって両側から挟み込むようにして、仕切り本体１７の他方の側に複数の清掃シート１１を横方向の積層状態で配置する。このような状態で、正面取出し開口２２及び天面開口２１から縦長包装箱１２の中空内部に、仕切り台紙１６と共にフィルム梱包物１０及び清掃シート１１を挿入することにより、フィルム梱包物１０が、本実施形態の収納構造を介して組合せ製品の一構成物品として収納されることになる。
【００２１】
また、折返し舌状片１８の折れ癖線２９ａが底面板５０に当接するまで仕切り台紙１６を縦長包装箱１２の中空内部に挿入して仕切り台紙１６がセットされた際に、仕切り台紙１６の取出し部補強片３３は、正面取出し開口２２が形成された上端部分の側面板１５の内側面に沿って位置決めされる。また仕切り台紙１６の張出し支持板３４は、側面板１５から内側に折れ曲がった開閉蓋載置台２５を下方から支持するように、当該開閉蓋載置台２５と重り合う位置に位置決めされる。これらによって、フィルム梱包物１０や清掃シート１１が出し入れされる、縦長包装箱１２の正面取出し開口２２や天面開口２１の周囲の構造が効果的に補強される。特に、開閉蓋載置台２５及び張出し支持板３４の双方又はいずれか一方が設けられることにより、他方の正面板１４ｂと左右一対の側面板１５との接合角部分２４を切り離して正面取出し開口２２を形成したことによって外力に対する強度が弱くなった、正面開閉蓋２３の周囲の部分を補強して、運搬時や陳列時に正面開閉蓋２３が凹んだり変形したりするのを効果的に回避することが可能になる。
【００２２】
なお、本実施形態では、フィルム梱包物１０と共に縦長包装箱１２に収納される清掃シート１１は、例えばハンディモップ等の清掃具に取り付けて用いる、使捨て用の清掃シートとして公知のシート材料であり、好ましくは不織布を２〜３枚重ね合わせたものを、清掃具に装着するのに適した矩形形状に形成して用いられる。また、各清掃シート１１は、一枚のフィルム梱包物１０に収容されたワックスを含浸させて清掃作業を行うのに適した大きさのシート材料として形成され、フィルム梱包物１０と一枚ごとに組み合わせて用いられることになる。
【００２３】
そして、上述のようにしてフィルム梱包物１０及び清掃シート１１を収納した縦長包装箱１２は、立てたままの状態で運搬や陳列に供されることになるが、本実施形態の収納構造によって仕切り台紙１６を介在させてフィルム梱包物１０を縦長包装箱１２に収納していることにより、エンドシール部１３を備える自立不能な形態のフィルム梱包物１０が、エンドシール部１３を下方に配置して立設させた状態で収納されていても、収容物の重量によって下方のエンドシール部１３が変形したり、フィルム梱包物１０や収容物の下部の形状が変形するのを効果的に回避することが可能になる。
【００２４】
すなわち、本実施形態によれば、仕切り台紙１６は、正面板１２ａ，１２ｂと略同じ幅を有する仕切り本体１７と、仕切り本体１７の下端縁部に折り返された状態で連接する折返し舌状片１８と、仕切り本体の両側縁部に略垂直に折り曲げられた状態で各々連接する一対のスペーサ片１９とを備えており、エンドシール部１３が形成されたフィルム梱包物１０の下端部分１０ａを、仕切り本体１７と折返し舌状片１８との間に配設してフィルム梱包物１０を縦長包装箱１２に収容しているので、液状のワックスを封入したフィルム梱包物１０の重量によって縦長包装箱１２の内部で折返し舌状片１８が一方の正面板１２ａ側に倒れ込むのを、折返し舌状片１８とは反対側に配置されるスペーサ片１９の先端が他方の正面板１２ｂに当接して規制することにより、フィルム梱包物１０の下端部分１０ａを挟み込んだ仕切り本体１７と折返し舌状片１８との角度θを鋭角に保持することが可能になる。
【００２５】
したがって、本実施形態によれば、仕切り本体１７と折返し舌状片１８との角度θが鋭角に保持されることによって、エンドシール部１３よりも厚さが厚くなった、エンドシール部１３の直上の横方向に積層されたフィルム梱包物１０の下端部分１０ａが、両側の仕切り本体１７と折返し舌状片１８の内側面に挟み込まれるように密着し、当該仕切り本体１７及び折返し舌状片１８によってフィルム梱包物１０の重量が支持されることになり、エンドシール部１３に付加される荷重を軽減或いは解消することによって、下方のエンドシール部１３が変形したり、フィルム梱包物１０や収容物の下部の形状が変形するのを効果的に回避することが可能になる。
【００２６】
図５（ａ）及び（ｂ）は、本発明の他の実施形態に係るフィルム梱包物の収納構造を示すものであり、図５（ａ）及び（ｂ）に示す収納構造では、縦長包装箱３５は、幅の広い前後一対の正面板３６ａ，３６ｂと幅の狭い左右一対の側面板３７とを含む矩形横断面形状に形成される。また、縦長包装箱３５は、正面取出し開口を有しておらず、底面が底板５２によって閉塞されると共に、天面の取出し開口３８は、側面板３７の上端縁部に連接する内フラップ５３と、一方の正面板３６ａの上端縁部に連接する差込み片３９が設けられた開閉蓋４０とによって、開閉可能に閉塞できるようになっている。
【００２７】
また、仕切り台紙４１は、正面板３６ａ，３６ｂよりも若干小さいこれらと略同じ大きさの矩形形状を有する仕切り本体４２と、この仕切り本体４２の下端縁部に折り返された状態で連接する折返し舌状片４３と、仕切り本体４２の両側縁部に折返し舌状片４３の折り返し側とは反対側に略垂直に折り曲げられた状態で各々連接する一対のスペーサ片４４とを備えている。
【００２８】
さらに、図５（ａ）及び（ｂ）に示す実施形態では、厚さの厚い１体のフィルム梱包物４５を、エンドシール部４６が形成された下端部分４５ａを仕切り本体４２と折返し舌状片４３との間に配設して、仕切り台紙４１と共に縦長包装箱３５に収納するものであり、フィルム梱包物４５の重量によって折返し舌状片４３が一方の正面板３６ａ側に倒れ込むのを、スペーサ片４４の先端が他方の正面板３６ｂに当接して規制することにより、フィルム梱包物４５の下端部分４５ａを挟み込んだ仕切り本体４２と折返し舌状片４３との角度θを鋭角に保持するようになっている。
【００２９】
図５（ａ）及び（ｂ）に示す収納構造によっても、仕切り本体４２と折返し舌状片４３との角度θが鋭角に保持されることによって、フィルム梱包物４５の下端部分４５ａにおけるエンドシール部４６の直上部分が、両側の仕切り本体４２と折返し舌状片４３の内側面に挟み込まれるように密着し、当該仕切り本体４２及び折返し舌状片４３によってフィルム梱包物４５の重量が支持されることになり、エンドシール部４６に付加される荷重を軽減或いは解消することによって、上記実施形態と同様の作用効果を奏することになる。
【００３０】
なお、本発明は上記各実施形態に限定されることなく種々の変更が可能である。例えば、本発明の収納構造は、組合せ製品の一構成物品としてフィルム梱包物を縦長包装箱に収納する場合に限定されるものではなく、一又は複数のフィルム梱包物を単独で縦長包装箱に収納する際にも採用することができる。また、縦長包装箱や仕切り台紙は、厚紙を用いて形成する必要は必ずしもなく、例えばプラスチック製の縦長包装箱や仕切り台紙であっても良い。
【図面の簡単な説明】
【００３１】
【図１】本発明の好ましい一実施形態に係るフィルム梱包物の収納構造を説明する分解斜視図である。
【図２】（ａ）は本発明の好ましい一実施形態に係る収納構造を用いてフィルム梱包物を収納した組合せ製品の斜視図、（ｂ）は同組合せ製品の正面取出し開口を開いた状態の斜視図である。
【図３】図２（ａ）のＡ−Ａに沿った断面図である。
【図４】（ａ）は仕切り台紙の展開形状を示す平面図、（ｂ）は仕切り台紙の斜視図、（ｃ）は仕切り台紙の側面図である。
【図５】（ａ）は本発明の好ましい他の実施形態に係るフィルム梱包物の収納構造を説明する分解斜視図、（ｂ）は同収納構造の断面図である。
【符号の説明】
【００３２】
１０，４５  フィルム梱包物
１０ａ，４５ａ  フィルム梱包物の下端部分
１１  清掃シート
１２  縦長包装箱
１３，４６  エンドシール部
１４ａ，３６ａ  一方の正面板
１４ｂ，３６ｂ  他方の正面板
１５，３７  側面板
１６，４１  仕切り台紙
１７，４２  仕切り本体
１８，４３  折返し舌状片
１９，４４  スペーサ片
２１  天面開口
２２  正面取出し開口
２３  正面開閉蓋
２４  正面板と側面板との接合角部分
２５  開閉蓋載置台
２６，２９ａ，２９ｂ，２９ｃ  折れ癖線
２７  天面蓋片
２８，３９  差込みフラップ片
３０  厚紙
３１  Ｌ字切込み
３２  帯状片
３３  取出し部補強片
３４  張出し支持板
４０  開閉蓋
θ    仕切り本体と折返し舌状片との角度
【図１】
2006282183.tif 000003
【図２】
2006282183.tif 000004
【図３】
2006282183.tif 000005
【図４】
2006282183.tif 000006
【図５】
2006282183.tif 000007